(57)【要約】【課題】寒冷地での防寒性および衝撃緩衝性に優れ、軽量で長時間仕様に際しても負担が少なく、着用に違和感のない保護帽子、野球やゴルフなどのスポーツ観戦時、観戦者の頭部保護のための保護帽子、更には、ファッション性をも考慮した要介護者の頭部保護のための保護帽子を提供する。【解決手段】帽子本体の内側に保護部材を着脱自在に嵌合した保護帽子であって、前記保護部材は、全体としてキャップ状であり、その内外の表面を生地によって覆われた所要厚さの衝撃吸収用の発泡樹脂エラストマー（熱可塑性エラストマー）を芯材とすることを特徴とする。【選択図】図１
2005163228.tif 000002
【特許請求の範囲】
【請求項１】
帽子本体の内側に保護部材を着脱自在に嵌合した保護帽子であって、
前記保護部材は、全体としてキャップ状であり、その内外の表面を生地によって覆われた所要厚さの衝撃吸収用の発泡樹脂エラストマーを芯材とすることを特徴とする保護帽子。
【請求項２】
前記発泡樹脂エラストマーは、適当な硬度を有する熱可塑性合成樹脂からなるスチレン系、スチレンブタジエン系、あるいはオレフィン系のエラストマーであることを特徴とする、請求項１に記載の保護帽子。
【請求項３】
前記保護部材の内外の生地は、ポリエステル系樹脂のメッシュ布地で構成されていることを特徴とする、請求項１または２に記載の保護帽子。
【請求項４】
前記帽子本体は、外側に撥水性素材のポリエステル系樹脂の表地、内側にポリアミド系樹脂のメッシュ布地を配した二層生地で構成されていることを特徴とする、請求項１ないし３の何れか１項に記載の保護帽子。
【請求項５】
前記帽子本体は、少なくとも、表地が綿、ウール、合成繊維、または、これらの幾つかの混紡よりなる布地で構成されており、また、前記保護部材の外側の生地が前記帽子本体と同じ布地で構成されていて、それ単独で、キャップの用をなすデザインに構成されていることを特徴とする、請求項１ないし３の何れか１項に記載の保護帽子。
【請求項６】
前記帽子本体は、少なくとも、表地が綿、ウール、合成繊維、または、これらの幾つかの混紡よりなる布地で構成されており、また、前記保護部材の外側の生地が撥水性素材のポリエステル系樹脂の生地であり、内側の生地がポリアミド系樹脂のメッシュ布地で構成されていて、それ単独で、キャップの用をなすデザインに構成されていることを特徴とする、請求項１ないし３の何れか１項に記載の保護帽子。
【請求項７】
前記保護部材の内面を構成するポリアミド系樹脂の生地が、ハニカム編組または縦編みであるか、もしくは、これを重ね合わせて構成したものであることを特徴とする、請求項１ないし６の何れか１項に記載の保護帽子。
【請求項８】
前記保護部材は、その内外の生地および熱可塑性の発泡樹脂エラストマーを、シート状の熱可塑性樹脂接着剤を介して熱融着することにより、一体化していることを特徴とする、請求項１ないし７の何れか１項に記載の保護帽子。
【請求項９】
前記帽子本体または保護部材は、面ファスナーによって、互いに着脱可能に結合されていることを特徴とする、請求項１ないし８の何れか１項に記載の保護帽子。
【請求項１０】
前記帽子本体または保護部材には、顎紐が装備されていることを特徴とする、請求項１ないし８の何れか１項に記載の保護帽子。
【請求項１１】
前記保護部材は、後頭部側に、頭鉢サイズに適合する調整用のスリットおよび連結バンドを装備していることを特徴とする、請求項１ないし９の何れか１項に記載の保護帽子。
【請求項１２】
前記帽子本体は、前鍔のあるキャップ型であり、折り返しによって、両耳部および後首部を覆うように、側頭部から後頭部にかけてベルト状に側部保護部材を装備しており、前記側部保護部材は、内外側に撥水性素材のポリエステル系樹脂の表地、中間に所要厚さの衝撃吸収用の発泡樹脂エラストマーを配した三層生地で構成されていることを特徴とする、請求項１ないし９の何れか１項に記載の保護帽子。
【請求項１３】
前記側部保護部材は、折り返し状態で、後首部に対応する個所の下縁に曲線状の抉りを形成していることを特徴とする請求項１２に記載の保護帽子。
【発明の詳細な説明】
【技術分野】
【０００１】
本発明は、主として、防寒を兼ねた作業用やスポーツ観戦用の保護帽子、要介護者の頭部保護のための保護帽子に関するものである。
【背景技術】
【０００２】
寒冷地において、メータ検針員が巡回する際に着用する作業帽は、検針作業中の落下物（例えば、軒先からの氷柱の落下、屋根からの雪塊の落下など）に対処する意味で、また、雪道での転倒による頭部の保護の目的で、ヘルメット形の硬質材料の帽子が多く採用されているが、衝撃力に対処する上では有効であるが、防寒性には欠けており、また、長時間の着用には、その重量の面で問題があり、その装着に、通常の帽子と異なる違和感がある上、転倒の際に、帽子の硬質部分で、身体に損傷を受ける畏れもある。
【０００３】
また、野球などのスポーツ観戦時、観戦者の頭部に飛来したボールに当たるなどの事故を回避する上では、通常の帽子に、衝撃吸収による保護を配慮した構造を備えることが有効である。
【０００４】
このため、作業帽の頭部を保護するために、ウレタンフォームなどの、弾力性のある発泡樹脂エラストマー・シートを衝撃に対する保護層として、内部に装着したものもあるが、寒冷地では、外気温の影響で、緩衝性が不十分となるなどの、低温特性、耐寒性に難がある。また、帽子という特性から、できる限り軽量で、しかも、衛生上、汚れ落としのための洗濯を繰り返す必要があり、これに耐える素材でなければならない。
【０００５】
更に、歩行に不自由な、高齢者などの要介護者が転倒した場合などの頭部保護のための保護帽子も提唱されているが、実用性が主となって、帽子着用によるファッション性が発揮できないという不都合がある。また、頭鉢サイズの相違による保護帽子の種類を十分に用意できないという事情もあり、着用の際の寸法調整に手間がかかり、あるいは、適用範囲が限られる。
【特許文献１】特開平９−１７６９０７号公報
【特許文献２】特開２００１−１４７６３５号公報
【発明の開示】
【発明が解決しようとする課題】
【０００６】
本発明は、上記事情に基づいてなされたもので、その目的とするところは、寒冷地での防寒性および衝撃緩衝性に優れ、軽量で長時間仕様に際しても負担が少なく、着用に違和感のない保護帽子、野球やゴルフなどのスポーツ観戦時、観戦者の頭部保護のための保護帽子、更には、ファッション性をも考慮した要介護者の頭部保護のための保護帽子を提供することにある。
【課題を解決するための手段】
【０００７】
このため、本発明では、請求項１に示すように、帽子本体の内側に保護部材を着脱自在に嵌合した保護帽子であって、前記保護部材は、全体としてキャップ状であり、その内外の表面を生地によって覆われた所要厚さの衝撃吸収用の発泡樹脂エラストマーを芯材とすることを特徴とする。
【０００８】
なお、請求項２に示すように、前記発泡樹脂エラストマーは、適当な硬度を有する熱可塑性合成樹脂からなるスチレン系、スチレンブタジエン系、あるいはオレフィン系エラストマーであることが、また、請求項３に示すように、前記保護部材の内外の生地は、ポリエステル系樹脂のメッシュ布地で構成されていることが本発明の実施の形態として好ましい。
【０００９】
また、請求項４に示すように、前記帽子本体は、外側に撥水性素材のポリエステル系樹脂の表地、内側にポリアミド系樹脂のメッシュ布地を配した二層生地で構成されていることが、防水性を考慮したものとして有効である。
【００１０】
また、請求項５に示すように、前記帽子本体は、少なくとも、表地が綿、ウール、合成繊維、または、これらの幾つかの混紡よりなる布地で構成されており、また、前記保護部材の外側の生地が前記帽子本体と同じ布地で構成されていて、それ単独で、キャップの用をなすデザインに構成されていることが、外出時のファッション性を前記帽子本体で発揮でき、かつ、非外出時には、生活安全のために、室内用帽子として着用することができる点で有効である。
【００１１】
また、請求項６に示されるように、前記帽子本体は、少なくとも、表地が綿、ウール、合成繊維、または、これらの幾つかの混紡よりなる布地で構成されており、また、前記保護部材の外側の生地が撥水性素材のポリエステル系樹脂の生地であり、内側の生地がポリアミド系樹脂のメッシュ布地で構成されていて、それ単独で、キャップの用をなすデザインに構成されていることが、外出時のファッション性を確保しながら、同時に、にわか雨などに遭遇した際、保護部材内部まで、雨水が浸透するのを回避することができる。
【００１２】
また、請求項７に示されるように、前記保護部材の内面を構成するポリアミド系樹脂の生地が、ハニカム編組または縦編みであるか、もしくは、これを重ね合わせて構成したものであることは、その実施の形態として、保護帽子を着用した際の、毛髪の絡みつき防止などの、種種の要望に対応することが可能となる。
【００１３】
また、請求項８に示すように、前記保護部材が、その内外の生地および熱可塑性の発泡樹脂エラストマーを、シート状の熱可塑性樹脂接着剤を介して熱融着することにより、一体化していることにより、前記保護部材の製造における作業性を向上させることができる。
【００１４】
なお、請求項９に示されるように、前記帽子本体または保護部材は、面ファスナーによって、互いに着脱可能に結合されていることで、あるいは、請求項１０に示されるように、前記帽子本体または保護部材には、顎紐が装備されていることで、強風などで、外側の帽子本体が吹き飛ばされるのを予め防止できるメリットが得られる。
【００１５】
また、請求項１１に示されるように、前記保護部材は、後頭部側に、頭鉢サイズに適合する調整用のスリットおよび連結バンドを装備していることで、外側の帽子本体の用意されるサイズの種類が少ない場合でも、着用者の頭鉢に適合させることができる（帽子本体と保護部材との相互の嵌合誤差は、保護部材の発泡樹脂エラストマーの伸縮性で吸収される）という汎用性が得られる。
【００１６】
また、請求項１２に示されるように、前記帽子本体は、前鍔のあるキャップ型であり、折り返しによって、両耳部および後首部を覆うように、側頭部から後頭部にかけてベルト状に側部保護部材を装備しており、前記側部保護部材は、内外側に撥水性素材のポリエステル系樹脂の表地、中間に所要厚さの衝撃吸収用の発泡樹脂エラストマーを配した三層生地で構成されていることで、着用者の耳部分や首部分についても、寒冷地での防寒機能が発揮できる。なお、着用者にとって、請求項１３に示されるように、前記側部保護部材が、折り返し状態で、後首部に対応する個所の下縁に曲線状の抉りを形成していることは、保護帽子着用時の上向き動作の際、側部保護部材が邪魔にならないという実用上のメリットを確保できる。
【発明の効果】
【００１７】
このような構成では、帽子本体の内部にキャップ状の保護部材を着脱自在に装着しており、その保護部材に、所要厚さの発泡樹脂エラストマーを採用したので、使用上の安全性を確保しながら、その優れた軽量性により、違和感のない帽子として、長時間の使用に耐えることができる。しかも、保護部材は、素材としての柔軟性に富み、機械的強度も十分なので、三層生地として構成したものであっても、繰り返し洗濯できるなどの実用性に優れている。
【００１８】
また、野球観戦などの観戦用帽子としても、上述のような有効性が発揮できる。その上、本発明の保護帽では、その素材の選択により、産業廃棄物として処分する際の環境への悪影響が少ない。
【００１９】
また、帽子内に着脱自在に保護部材を備えることで、外観上は通常の帽子であっても、転倒などの事態に、要介護者の頭部を保護することができる。
【発明を実施するための最良の形態】
【００２０】
以下、本発明に係る、主として、寒冷地での作業用あるいはスポーツ観戦用に適応する保護帽子、あるいは、要介護者の頭部保護のための保護帽子を、図面に示す実施例に基づいて具体的に説明する。
【実施例１】
【００２１】
本発明に係る保護帽子は、図１に示すように、帽子本体１の内側に保護部材２を着脱自在に嵌合したものであって、保護部材２は、全体としてキャップ状であり、その内外の表面を生地２１，２２によって覆われた所要厚さ（例えば、約２．５〜３．５ｍｍ厚さ、好ましくは、３ｍｍ厚さ）の衝撃吸収用の発泡樹脂エラストマー（この実施例では、熱可塑性エラストマー）２３を芯材とするものである。更に、前記発泡樹脂エラストマーとして、低反発性エラストマー（例えば、イノアック社のウレタン系エラストマー：商品名「ポロン」）を採用することで、寒冷地などの低温度領域で使用する保護帽として、その衝撃についての低温特性（耐寒性）が有効に作用し、エラストマーとしての弾性を維持できる。
【００２２】
また、この実施の形態では、発泡樹脂エラストマー２３は、適当な硬度を有する合成樹脂からなるスチレン系、スチレンブタジエン系、あるいはオレフィン系エラストマーであり、保護部材２の内外の生地２１、２２は、ポリエステル系樹脂のメッシュ布地で構成されている。なお、保護部材２の内面を構成するポリエステル系樹脂の生地２２が、ハニカム編組２２ａまたは縦編み２２ｂであるか、もしくは、これを重ね合わせて構成したものである（図２を参照）ことは、その実施の形態として、保護帽子を着用した際の、毛髪の絡みつき防止などの、種種の要望に対応することが可能となる。
【００２３】
また、保護部材２が、その内外の生地２１、２２および熱可塑性の発泡樹脂エラストマー２３を、シート状の熱可塑性樹脂接着剤２４を介して熱融着することにより、一体化していることにより、保護部材２の製造における作業性を向上させることができる（図３を参照）。
【００２４】
また、帽子本体１は、この実施例では、防水性を考慮したものとして、外側に撥水性素材のポリエステル系樹脂の表地１１（特に、スムース編み）、内側にポリアミド系樹脂のメッシュ布地１２を配した二層生地で構成されている。
【００２５】
このような構成では、帽子本体１の内部にキャップ状の保護部材２を着脱自在に装着しており、その保護部材２に、所要厚さの発泡樹脂エラストマー２３を採用したので、使用上の安全性を確保しながら、その優れた軽量性により、違和感のない帽子として、長時間の使用に耐えることができる。しかも、保護部材２は、素材としての柔軟性に富み、機械的強度も十分なので、三層生地として構成したものであっても、繰り返し洗濯できるなどの実用性に優れている。また、野球観戦などの観戦用帽子としても、上述のような有効性が発揮できる。その上、本発明の保護帽子では、その素材の選択により、産業廃棄物として処分する際の環境への悪影響が少ない。
【００２６】
また、帽子本体１内に着脱自在に保護部材２を備えることで、外観上は通常の帽子であっても、転倒などの事態に、要介護者の頭部を保護することができる。更に、本実施例で採用する低反発性エラストマーを用いたものでは、寒冷地などの低温度領域で使用する保護帽子として、衝撃についての低温特性（耐寒性）が有効に作用し、エラストマーの弾性を維持できる。
【実施例２】
【００２７】
本発明に係る保護帽子は、この実施例において、図４に示すように、帽子本体１が、少なくとも表地１１が綿、ウール、合成繊維、または、これらの幾つかの混紡よりなる布地で構成されており、また、保護部材２の外側の生地２１が帽子本体１と同じ布地で構成されていて、それ単独で、キャップの用をなすデザインに構成されている。これにより、外出時のファッション性を帽子本体１で発揮でき、かつ、非外出時には、生活安全のために、室内用帽子として保護部材２自体を着用することができる。
【００２８】
なお、帽子本体１が、少なくとも、表地が綿、ウール、合成繊維、または、これらの幾つかの混紡よりなる布地で構成されており、また、保護部材２の外側の生地２１が撥水性素材のポリエステル系樹脂の生地であり、内側の生地２２がポリアミド系樹脂のメッシュ布地で構成されていて、それ単独で、キャップの用をなすデザインに構成されていてもよい。この場合は、外出時のファッション性を確保しながら、同時に、にわか雨などに遭遇した際、保護部材２の内部まで、雨水が浸透するのを回避することができる。
【実施例３】
【００２９】
本発明の保護帽子は、この実施例において、図５の（ａ）または（ｂ）に示すように、帽子本体１または保護部材２は、面ファスナー３によって、互いに着脱可能に結合されていることで、あるいは、図６に示されるように、帽子本体１（または保護部材２）には、顎紐４が装備されていることで、強風などで、外側の帽子本体が吹き飛ばされるのを予め防止できるメリットが得られる。
【実施例４】
【００３０】
また、本発明の保護帽子は、図７に示されるように、保護部材２が、後頭部側に、頭鉢サイズに適合する調整用のスリット５および連結バンド６を装備していることで、外側の帽子本体１の、用意されるサイズの種類が少ない場合でも、着用者の頭鉢に適合させることができる（帽子本体と保護部材との相互の嵌合誤差は、保護部材のエラストマーの伸縮性で吸収される）という汎用性が得られる。
【実施例５】
【００３１】
また、本発明の保護帽子は、図８に示されるように、帽子本体１が、前鍔１３のあるキャップ型であり、折り返しによって、両耳部および後首部を覆うように、側頭部から後頭部にかけてベルト状に側部保護部材１４を装備しており、側部保護部材１４が、内外側に撥水性素材のポリエステル系樹脂の表地１４ａ、１４ｂを、中間に所要厚さ（例えば、約１．０ｍｍ厚さ）の衝撃吸収用の発泡樹脂エラストマー（熱可塑性エラストマー）１４ｃを配した三層生地で構成されている。なお、前鍔１３は、上側に硬質の合成樹脂シート１３ａ、下側に衝撃吸収用の発泡樹脂層１３ｂを重ねた芯部材に、少なくとも、前鍔１３の上側で、撥水性素材のポリエステル系樹脂の布地１３ｃを被覆した構成である。
【００３２】
これによって、着用者の耳部分や首部分についても、寒冷地での防寒機能が発揮できる。なお、着用者にとって、図９に示されるように、側部保護部材１４が、折り返し状態で、後首部に対応する個所の下縁に曲線状の抉り１４ｄを形成していることは、保護帽子着用時の上向き動作の際、側部保護部材１４が邪魔にならないという実用上のメリットを確保できる。
【産業上の利用可能性】
【００３３】
本発明の保護帽は、上述の作業用帽子、スポーツ観戦用帽子のみならず、警備員用の帽子などにも採用できる。また、要介護者の生活における、転倒などの事態に、頭部を保護する機能を発揮する保護帽としても有効である。
【図面の簡単な説明】
【００３４】
【図１】本発明の実施例１を示す分離斜視図である。
【図２】同じく、一部縦断した側面図である。
【図３】同じく、接着剤を含む積層状態を示す斜視図である。
【図４】本発明の実施例２を示す分離斜視図である。
【図５】本発明の実施例３を（ａ）、（ｂ）示す分離斜視図である。
【図６】同じく、変形例を示す斜視図である。
【図７】本発明の実施例４を示す保護部材の斜視図である。
【図８】本発明の実施例５を示す分離斜視図である。
【図９】同じく、使用態様を示す帽子本体の斜視図である。
【符号の説明】
【００３５】
１    帽子本体
１１    表地
１２    メッシュ布地
１３    前鍔
１３ａ    硬質の合成樹脂シート
１３ｂ    衝撃吸収用の発泡樹脂層
１３ｃ    撥水性素材のポリエステル系樹脂の布地
１４    側部保護部材
１４ａ、１４ｂ    布地
１４ｃ    衝撃吸収用の発泡樹脂エラストマー（熱可塑性エラストマー）
１４ｄ    抉り
２    保護部材
２１、２２    生地
２２ａ    ハニカム編組
２２ｂ    縦編み
２３    衝撃吸収用の発泡樹脂エラストマー（熱可塑性エラストマー）
２４    シート状の熱可塑性樹脂接着剤
３    面ファスナー
４    顎紐
５    スリット
６    連結バンド
【図１】
2005163228.tif 000003
【図２】
2005163228.tif 000004
【図３】
2005163228.tif 000005
【図４】
2005163228.tif 000006
【図５】
2005163228.tif 000007
【図６】
2005163228.tif 000008
【図７】
2005163228.tif 000009
【図８】
2005163228.tif 000010
【図９】
2005163228.tif 000011